(57)【要約】  【課題】  カバーページを送信する場合には、送信する画像情報の総ページ数を確実に含めて送信することができる通信装置を提供する。  【解決手段】  送信を行う一又は複数ページからなる画像情報を画像メモリに格納しておき、格納してある画像情報及び送信ページ数に関する情報を含むカバーページの送信を行うことが可能な通信装置において、カバーページを送信する場合、全ページの画像情報の画像メモリへの格納が完了したか否かを判断し、完了していないと判断した場合、画像情報を送信することを許可せず、全ページの画像情報の画像メモリへの格納が完了した場合にのみカバーページを含む画像情報を送信する。【選択図】        図２
2007053582.tif 000002
【特許請求の範囲】
【請求項１】
送信を行う一又は複数ページからなる画像情報を画像メモリに格納しておき、格納してある画像情報及び送信ページ数に関する情報を含むカバーページの送信を行うことが可能な通信装置において、前記カバーページを送信する場合、全ページの画像情報の前記画像メモリへの格納が完了したか否かを判断し、完了していないと判断した場合、画像情報を送信することを許可しないようにしてあることを特徴とする通信装置。
【請求項２】
前記カバーページを送信する場合、全ページの画像情報の前記画像メモリへの格納が完了した時点での送信ページ数を計数し、計数した送信ページ数を含むカバーページを生成して送信することを特徴とする請求項１記載の通信装置。
【請求項３】
送信を行う一又は複数ページからなる画像情報を読取り、読取った画像情報を逐次送信する場合、送信ページ数を含まないカバーページを生成して送信することを特徴とする請求項１又は２記載の通信装置。
【発明の詳細な説明】
【技術分野】
【０００１】
本発明は、ファクシミリ通信によって送信する画像データを画像メモリへ格納してから送信する通信装置に関し、特にカバーページを付与して画像データを送信する通信装置に関する。
【背景技術】
【０００２】
従来、ファクシミリ装置等の通信装置は、スキャナ等の画像読取装置を用いて送信する画像データを読取り、読取った画像データを逐次送信先へ送信していた。一方、画像データの送信が完了する前に次に送信すべき画像データを読取ることを可能にすべく、画像読取装置で読取った画像データを画像メモリに記憶し、所定のタイミング、例えば画像メモリへ蓄積されている画像データ容量の割合が所定値を超えた場合、画像読取りを開始してから一定時間経過した場合等に、画像メモリに記憶してある画像データを送信先へ送信する装置も多々開発されている。
【０００３】
このように、画像メモリに画像データを記憶してから送信先へ送信するファクシミリ装置では、全ての画像データを画像読取装置で読取る前に画像データの送信を開始するいわゆるクイック送信機能を有することが多い。これにより、送信する原稿をすべて画像データとして読取るまで送信待ち状態とならず、使用者に無駄な待ち時間を強要することなくファクシミリ送信を行うことが可能となる。
【０００４】
また、ファクシミリ装置には、いわゆるカバーページ機能を備えたものがある。カバーページ機能とは、１又は複数ページで構成される画像データに、送信画像の先頭ページ（第１ページ）として自動的にカバーページ（表紙）をつけて送信する機能である。カバーページには、日付、相手先名称（受信側）、相手先ファクシミリ番号、発信元名称（送信側）、発信元ファクシミリ番号、送信枚数等の項目データを、予め定められたカバーページの項目に入力して送信することが可能となっている(特許文献１参照)。
【特許文献１】特開２００１−１７７６７８号公報
【発明の開示】
【発明が解決しようとする課題】
【０００５】
しかし、上述した従来のファクシミリ装置でクイック送信を行う場合、送信ページ数を含むカバーページを先頭ページとして送信するときであっても、画像メモリに全ページの画像データの格納が完了する前に送信が開始される。したがって、画像メモリに全ページの画像データの格納が完了していないことから送信する画像データのページ数を把握することができず、先頭ページ（第１ページ）であるカバーページには、送信される画像の送信ページ数を含めることができないことから、受信者は、送信されてきた画像データのページ数を把握することができず、送信者も送信が正常に行われたか否かを確認することが困難であるという問題点があった。
【０００６】
また、画像メモリを介した送信では、カバーページ無しでは送信された事実の確認が困難であることから、あえて画像メモリを用いることなく画像読取装置から画像データを読取る都度、読取った画像データを送信する場合もありうる。
【０００７】
本発明は斯かる事情に鑑みてなされたものであり、カバーページを送信する場合には、送信する画像情報の総ページ数を確実に含めて送信することができる通信装置を提供することを目的とする。
【０００８】
また本発明は、画像メモリを用いることなく画像読取装置から画像情報を読取る都度、読取った画像情報を送信する場合であってもカバーページを送信する通信装置を提供することを目的とする。
【課題を解決するための手段】
【０００９】
上記目的を達成するために第１発明に係る通信装置は、送信を行う一又は複数ページからなる画像情報を画像メモリに格納しておき、格納してある画像情報及び送信ページ数に関する情報を含むカバーページの送信を行うことが可能な通信装置において、前記カバーページを送信する場合、全ページの画像情報の前記画像メモリへの格納が完了したか否かを判断し、完了していないと判断した場合、画像情報を送信することを許可しないようにしてあることを特徴とする。
【００１０】
第１発明の通信装置では、一又は複数のページからなる原稿を画像読取装置で読取り、画像メモリに格納してから送信先へ送信する場合、送信ページ数に関する情報を含むカバーページを送信するときには、全ページの画像情報が画像メモリへ格納し終わっていない場合、画像情報を送信することを許可しないようにしてある。これにより、画像メモリへ全ページの画像情報の格納が完了する前、すなわち送信する原稿のページ数が何ページになるのか把握することができない状態での画像情報の送信を停止することができ、全ページの読取りが完了した時点でカバーページに送信する原稿のページ数を含めて送信先へ送信を開始する。したがって、カバーページを含めて画像情報を送信する場合に、送信する画像情報のページ数を確実にカバーページに含めて送信することが可能となる。
【００１１】
第２発明に係る通信装置は、第１発明において、前記カバーページを送信する場合、全ページの画像情報の前記画像メモリへの格納が完了した時点での送信ページ数を計数し、計数した送信ページ数を含むカバーページを生成して送信することを特徴とする。
【００１２】
第２発明の通信装置では、カバーページを送信する場合、全ページの画像情報の画像メモリへの格納が完了した時点での送信ページ数を計数し、計数した送信ページ数を含むカバーページを生成して送信する。これにより、読取りが完了した時点の送信ページ数を、送信原稿のページ数としてカバーページに含めることが可能となる。
【００１３】
第３発明に係る通信装置は、第１又は第２発明において、送信を行う一又は複数ページからなる画像情報を読取り、読取った画像情報を逐次送信する場合、送信ページ数を含まないカバーページを生成して送信することを特徴とする。
【００１４】
第３発明の通信装置では、送信を行う一又は複数ページからなる画像情報を読取り、読取った画像情報を逐次送信する場合、送信ページ数を含まないカバーページを生成して送信する。これにより、画像メモリを用いることなく、読込んだ画像情報を逐次送信する場合、総ページ数がカバーページに含まれていなくても送信が成功したページ数を確認することが容易であることから、総ページ数をカバーページに含むことなく画像情報を送信する。したがって、送信者は、カバーページに送信ページ数が含まれなくても、ファクシミリ通信が正常に行われたか否かを確認することが可能となる。
【発明の効果】
【００１５】
本発明によれば、画像メモリへ全ページの画像情報の格納が完了する前、すなわち送信する原稿のページ数が何ページになるのか把握することができない状態での画像情報の送信を停止することができ、全ページの読取りが完了した時点でカバーページに送信する原稿のページ数を含めて送信先へ送信を開始する。したがって、カバーページを含めて画像情報を送信する場合に、送信する画像情報のページ数を確実にカバーページに含めて送信することが可能となる。
【００１６】
また本発明によれば、画像メモリを用いることなく、読込んだ画像情報を逐次送信する場合、総ページ数がカバーページに含まれていなくても送信が成功したページ数を確認することが容易であることから、総ページ数をカバーページに含むことなく画像情報を送信する。したがって、送信者は、カバーページに送信ページ数が含まれなくても、ファクシミリ通信が正常に行われたか否かを確認することが可能となる。
【発明を実施するための最良の形態】
【００１７】
以下、本発明をその実施の形態を示す図面を参照して具体的に説明する。図１は、本発明の実施の形態に係る通信装置としてのファクシミリ装置の構成を示すブロック図である。
【００１８】
図１において、１はファクシミリ装置を示しており、ファクシミリ装置１は、ＣＰＵで構成されている主制御部１１を備えている。主制御部１１は、バス３０を介して以下のハードウェア各部と接続され、ハードウェア各部の動作を制御すると共に、ＲＯＭ１４に格納された種々のプログラムを実行する。
【００１９】
モデム１２は、送受信データの変復調、具体的には本来はデジタル信号である送信データをアナログの音声信号に変調して後述するＮＣＵ１３を介して通信回線１００へ送出し、また逆に通信回線１００からＮＣＵ１３を介して受信したアナログの音声信号をデジタル信号に復調する。
【００２０】
ＮＣＵ１３は、通信回線１００とファクシミリ装置１との接続を制御するとともに、通信相手の電話番号（ファクシミリ番号）に応じたダイヤルパルスを送出する機能及び着信を検出する機能を有している。なお、この通信回線１００は、図示されていない一般公衆回線に接続されている。
【００２１】
ＲＯＭ１４は、ファクシミリ装置１の動作に必要な種々のソフトウェアのプログラムを格納している。またＲＡＭ１５は、例えばＳＲＡＭ、フラッシュメモリ等で構成され、ソフトウェアの実行時に発生する一時的なデータを記憶する。なお、ＲＡＭ１５にフラッシュメモリを使用した場合、停電が発生した場合、ファクシミリ装置１の移動等のために電源が遮断された場合等であっても記憶内容が失われることはない。
【００２２】
画像メモリ１６は、例えばＤＲＡＭ、フラッシュメモリ等で構成され、後述する読取部１９が読み取った画像データを格納し、また外部から通信回線１００及びモデム１２を介して受信した画像データを格納する。
【００２３】
表示部１７は、液晶表示装置（ＬＣＤ）、ＣＲＴディスプレイ等の表示装置であり、ファクシミリ装置１の動作状態を表示し、ファクシミリ通信により送信すべき原稿の画像データ及び受信した画像データ、並びに通信の利用状況等の表示を行う。
【００２４】
操作部１８は、ファクシミリ装置１を操作するために必要な文字キー、テンキー（数字キー）、ワンタッチダイヤルキー、短縮キー及び各種のファンクションキーを備えている。また読取部１９は、例えばＣＣＤイメージセンサ等を備えたスキャナ等の画像読取装置により原稿画像の読取りを行う。
【００２５】
出力部２０は、レーザプリンタ装置、電子写真方式のプリンタ装置等の画像形成装置であり、ファクシミリ通信により受信した画像データをハードコピーとして、Ａ３縦、Ｂ４縦、Ａ４縦、Ｂ５横、Ａ５横等の各サイズの用紙から最適なサイズの記録紙を選択し、選択した記録紙上に画像データを出力する。
【００２６】
以下、ファクシミリ装置１の動作について説明する。図２は、本発明の実施の形態に係る通信装置としてのファクシミリ装置１の主制御部１１の送信処理の手順を示すフローチャートである。本実施の形態では、スキャナ等の読取部１９を介して読取った画像データを、一旦画像メモリ１６へ格納し、所定のタイミングで送信を開始するメモリ送信方式について説明する。
【００２７】
ファクシミリ装置１の主制御部１１が送信指示コマンドを受け付けた場合、主制御部１１は、カバーページを送信する旨を示すカバーページ送信フラグがオン状態であるか否かを判断する（ステップＳ２０１）。主制御部１１が、カバーページ送信フラグがオン状態であると判断した場合（ステップＳ２０１：ＹＥＳ）、主制御部１１は、クイック送信を行う旨を示すクイック送信フラグがオン状態であるか否かを判断する（ステップＳ２０２）。
【００２８】
主制御部１１が、クイック送信フラグがオン状態であると判断した場合（ステップＳ２０２：ＹＥＳ）、主制御部１１は、クイック送信フラグをオフ状態とする（ステップＳ２０３）。これにより、カバーページを送信する場合には、クイック送信を行うことがなくなり、送信するページ数を確定する前に画像データが送信されることを未然に防止することが可能となる。
【００２９】
主制御部１１が、クイック送信フラグがオン状態でないと判断した場合（ステップＳ２０２：ＮＯ）、主制御部１１は、送信原稿を読取部１９で読取り、読取った画像データを画像メモリ１６へ記憶する（ステップＳ２０４）。主制御部１１は、送信原稿を全て読取って記憶したか否かを判断し（ステップＳ２０５）、主制御部１１が、まだ読取って記憶していない送信原稿が存在すると判断した場合（ステップＳ２０５：ＮＯ）、主制御部１１は、処理をステップＳ２０４へ戻し、上述した処理を繰り返す。
【００３０】
主制御部１１が、送信原稿を全て読取って記憶したと判断した場合（ステップＳ２０５：ＹＥＳ）、主制御部１１は、送信原稿の総ページ数を含めカバーページデータを生成し（ステップＳ２０６）、カバーページデータ及び画像データの送信を開始する（ステップＳ２０７）。
【００３１】
主制御部１１が、カバーページ送信フラグがオン状態でないと判断した場合（ステップＳ２０１：ＮＯ）、主制御部１１は、カバーページを生成することなく、従来と同様の画像メモリ１６を経由した画像データの送信を行う（ステップＳ２０８）。
【００３２】
図３は、本実施の形態に係るカバーページの印字レイアウトの例示図である。図３（ａ）に示すように、クイック送信が指定されている場合であっても、カバーページを送信する場合にはクイック送信機能を停止し、全ての原稿の読取り及び画像メモリ１６への記憶が完了してから送信することにより、送信されるカバーページには、送信元情報、送信先情報、送信日時等の他、画像メモリ１６へ記憶するごとに計数した送信に係る総ページ数‘４’が印字されている。
【００３３】
なお、送信者が送信枚数を確認しつつ相手先へファクシミリ送信するために、読取部１９で原稿を１枚ずつ読取る都度送信する場合、カバーページには、総ページ数が含まれない。この場合、図３（ｂ）に示すように、カバーページの総ページ数は空欄（ハイフン）になる。
【００３４】
また、送信された画像データの上端部分又は下端部分に、送信した原稿の総ページ数を印字する場合もある。この場合、例えば図３（ｃ）に示すように、画像メモリ１６へ記憶するごとに計数した送信に係る総ページ数‘４’が、画像データの右上に印字されている。
【００３５】
さらに、送信者が送信枚数を確認しつつ相手先へファクシミリ送信するために、読取部１９で原稿を１枚ずつ読取る都度送信する場合、例えば図３（ｄ）に示すように、送信に係る総ページ数は空欄（ハイフン）になる。なお、何枚目の画像データであるかは、読取部１９で原稿を読取る都度計数することが可能であることから、２枚目であることを示す‘２’は印字可能である。
【００３６】
以上のように本実施の形態によれば、画像メモリ１６へ全ページの画像情報の格納が完了する前、すなわち送信する原稿のページ数が何ページになるのか把握することができない状態での画像情報の送信を停止することができ、全ページの読取りが完了した時点でカバーページに送信する原稿のページ数を含めて送信先へ送信を開始する。したがって、カバーページデータを含めて画像データを送信する場合に、送信する画像データの総ページ数を確実にカバーページデータに含めて送信することが可能となる。
【００３７】
また、画像メモリ１６を用いることなく、読込んだ画像情報を逐次送信する場合、総ページ数がカバーページデータに含まれていなくても送信が成功したページ数を確認することが容易であることから、総ページ数をカバーページデータに含むことなく画像データを送信する。したがって、送信者は、カバーページデータに送信ページ数が含まれなくても、ファクシミリ通信が正常に行われたか否かを確認することが可能となる。
【００３８】
なお、本実施の形態ではファクシミリ装置を例として説明しているが、ファクシミリ複合装置、ファクシミリデータ中継装置等、原稿から読取った画像データをファクシミリデータとして送受信する全ての装置に本発明を適用できることは言うまでもない。
【図面の簡単な説明】
【００３９】
【図１】本発明の実施の形態に係る通信装置としてのファクシミリ装置の構成を示すブロック図である。
【図２】本発明の実施の形態に係る通信装置としてのファクシミリ装置の主制御部の送信処理の手順を示すフローチャートである。
【図３】本実施の形態に係るカバーページの印字レイアウトの例示図である。
【符号の説明】
【００４０】
１  ファクシミリ装置（通信装置）
１１  主制御部
１２  モデム
１３  ＮＣＵ
１４  ＲＯＭ
１５  ＲＡＭ
１６  画像メモリ
１７  表示部
１８  操作部
１９  読取部
２０  出力部
【図１】
2007053582.tif 000003
【図２】
2007053582.tif 000004
【図３】
2007053582.tif 000005